(57)【要約】【課題】セールスプロモーションへの応募の手間を極力なくし、しかもセールスプロモーションのためのコストを削減すること。【解決手段】液体入りボトル１０は、ボトル本体２０と、ボトル本体２０に取り付けられるキャップ３０とを具備する。このキャップ３０は、ワンピース構造で、かつ、ポリプロピレン又はポリエチレンに反射効果を上げる材料を混合した材料からなる。キャップ３０の天部の裏面には、２次元コード４０が例えばレーザマーキング装置によって彫り刻まれている。２次元コード４０は、セールスプロモーション用のインタネットサイトサーバに接続するための記号（ＵＲＬ）と個体識別記号（ユニーク番号）とを含むコードである。【選択図】図２
2013220849.tif 000002
【特許請求の範囲】
【請求項１】
ボトル本体と、
前記ボトル本体に収容される液体と、
前記ボトル本体に取り付けられ、少なくともの天部の裏面側がポリプロピレン又はポリエチレンに反射効果を上げる材料を混合した材料からなるキャップと、
前記キャップの天部の裏面側に表記された２次元コードと
を具備する液体入りペットボトル。
【請求項２】
請求項１に記載の液体入りペットボトルであって、
前記キャップは、ワン・ピース構造で、かつ、全部がロピレン又はポリエチレンに反射効果を上げる材料を混合した材料からなる
液体入りペットボトル。
【請求項３】
請求項１に記載の液体入りペットボトルであって、
前記キャップは、キャップ本体と、天部の裏面に設けられたポリプロピレン又はポリエチレンに反射効果を上げる材料を混合した材料からなる裏面部とのツー・ピース構造である
液体入りペットボトル。
【請求項４】
請求項１から請求項３のうちいずれか１項に記載のペットボトルであって、
前記反射効果を上げる材料は、発色材及び発泡剤のうち少なくとも一方である
液体入りペットボトル。
【請求項５】
請求項１から請求項４のうちいずれか１項に記載の液体入りペットボトルであって、
前記キャップの反射効果は、ＰＣＳ値が０．７５以上である
液体入りペットボトル。
【請求項６】
請求項１から請求項５のうちいずれか１項に記載の液体入りペットボトルであって、
前記２次元コードは、当該液体入りボトルに関するセールスプロモーション用のインタネットサイトに接続するための記号と個体識別記号とから成るコードで
あって、ユニークコードである
液体入りペットボトル。
【請求項７】
請求項１から請求項６のうちいずれか１項に記載の液体入りペットボトルであって、
前記２次元コードは、レーザマーキング装置によって彫り刻まれる
液体入りペットボトル。
【請求項８】
少なくとも天部の裏面側がポリプロピレン又はポリエチレンに反射効果を上げる材料を混合した材料からなり、天部の裏面側に２次元コードが表記された
液体入りペットボトルに用いられるキャップ。
【請求項９】
請求項８に記載のキャップであって
ワン・ピース構造で、かつ、全部がロピレン又はポリエチレンに反射効果を上げる材料を混合した材料からなる
液体入りペットボトルに用いられるキャップ。
【請求項１０】
請求項８に記載のキャップであって、
キャップ本体と、天部の裏面に設けられたポリプロピレン又はポリエチレンに反射効果を上げる材料を混合した材料からなる裏面部とのツー・ピース構造である
液体入りペットボトルに用いられるキャップ。
【発明の詳細な説明】
【技術分野】
【０００１】
本発明は、清涼飲料水や水、アルコールなどの液体を収容した液体入りペットボトル及び液体入りペットボトルに用いられるキャップに関する。
【背景技術】
【０００２】
清涼飲料水などの販売では、ポイントコレクションに代表されるセールスプロモーションが盛んに行われている。ポイントコレクションでは、これらの商品に付されたシールをはがきに貼って応募していたが、最近ではシールの裏面に表記されているシール番号を応募用のインタネットサイトサーバから入力することも行われている。
これに関連する技術は、特許文献１に開示されている。
【先行技術文献】
【特許文献】
【０００３】
【特許文献１】特開２０１１−１２３６６８号公報（図１１参照）
【発明の概要】
【発明が解決しようとする課題】
【０００４】
いずれにしてもこのような応募方法では、応募に手間がかかる、という課題があった。本発明者らの知見によれば、最近、応募数が減少する傾向にあり、その理由は消費者にとっては懸賞の商品の魅力が応募の手間に比べて相対的に薄れている、という結論に至った。
また、生産ラインにおいても、シールを貼付することは通常の工程に比べてコスト高になる、という課題があった。
【０００５】
以上のような事情に鑑み、本発明の目的は、セールスプロモーションへの応募の手間を極力なくし、しかもセールスプロモーションのためのコストを削減することができる液体入りペットボトル及び液体入りペットボトルに用いられるキャップを提供することにある。
【課題を解決するための手段】
【０００６】
上記目的を達成するため、本発明の一形態に係る液体入りペットボトルは、ボトル本体と、前記ボトル本体に収容される液体と、前記ボトル本体に取り付けられ、少なくともの天部の裏面側がポリプロピレン又はポリエチレンに反射効果を上げる材料を混合した材料からなるキャップと、前記キャップの天部の裏面側に表記された２次元コードとを具備する。
【０００７】
前記キャップは、ワン・ピース構造で、かつ、全部がロピレン又はポリエチレンに反射効果を上げる材料を混合した材料からなるものであってもよいし、キャップ本体と、天部の裏面に設けられたポリプロピレン又はポリエチレンに反射効果を上げる材料を混合した材料からなる裏面部とのツー・ピース構造であってもよい。
【０００８】
本発明の別形態に係るペットボトルに用いられるキャップは、少なくとも天部の裏面側がポリプロピレン又はポリエチレンに反射効果を上げる材料を混合した材料からなり、天部の裏面側に２次元コードが表記されたものである。
【０００９】
前記キャップは、ワン・ピース構造で、かつ、全部がロピレン又はポリエチレンに反射効果を上げる材料を混合した材料からなるものであってもよいし、キャップ本体と、天部の裏面に設けられたポリプロピレン又はポリエチレンに反射効果を上げる材料を混合した材料からなる裏面部とのツー・ピース構造であってもよい。
ここで、ポリエチレンとしては、より限定的には高密度ポリエチレンである。
【００１０】
本発明では、２次元コードを使ってセールスプロモーションへ応募することができる。従って、セールスプロモーションへの応募の手間を極力なくすることができる。
【００１１】
また、２次元コードは、中身メーカーの製造ラインやキャップメーカーの製造ラインなどにおいて、シールなどの貼付に比べて簡単な工程で表記することができるので、セールスプロモーションのためのコストを削減することができる。
【００１２】
加えて、２次元コードはキャップの天部の裏面側に表記されていることから、実質的には商品を購入した者以外は２次元コードにアクセスができない。よって、応募に係る情報が盗まれるようなこともない。
さらに、キャップの天部の裏面は平坦であることから、２次元コードの表記及び読み取りを確実に行うことができる。
【００１３】
ここで、本発明者らは、具体的に試作を開始し、キャップの構成を「ワン・ピース」（一体成形、１回加工）か「ツー・ピース」（１回加工の後、樹脂を加えさらに別の金型で加工）か、で引き続き検討した。ただし、コスト面では「ワン・ピース」が当然有利である。
【００１４】
ワン・ピース加工の現行品でレーザマーキングの試作をしたところ、常温充填品（炭酸飲料などのため、高密度ポリエチレン製）でも高温充填品（コーヒー、紅茶など、ポリプロピレン製）でも２次元コードのマーキングに時間が掛かりすぎ（５〜５０秒）現実的でなく、ＰＣＳ値が従来からの基準にも達しなかった。
【００１５】
マーキングスピード（ＢＰＭ（Ｂｏｔｔｌｅ Ｐｅｒ Ｍｉｎｕｔｅ）やＣＰＭ（Ｃａｐ Ｐｅｒ Ｍｉｎｕｔｅ））を上げるために、現行のレジンに発色材や発泡剤（ＰＣＳ値を上げるための反射効果を上げるため）を混合させたところ反射効果を上げてＰＣＳ値が０．７５以上となり、２次元コードのマーキングの時間が５秒以下で現実的なレベルとなった。
【００１６】
ここで、ＰＣＳ（Ｐｒｉｎｔ Ｃｏｎｔｒａｓｔ Ｓｉｇｎａｌ）とはバーコードシンボルのバーとスペースのコントラスト（明暗）を表す数値で、印字された濃淡に対する光学的特性を測定した値から算出する。測定方法としては、一般的に、特定波長の光を測定面に対して４５度の角度をもってあて、９０度方向に拡散する光量を測定し、酸化マグネシウムの反射光を１００％とした時の百分率で表わし、以下の式に基づいて算出する。
ＰＣＳ＝スペースの反射率−バーの反射率／スペースの反射率 
【００１７】
バーコードを読み取る際には、乱反射光の強弱の差の大きさが重要になる。つまり、強弱の差が大きければ、それは読み取りやすいバーコードということになる逆に、強弱の差があまりないと、読み取れない可能性がでてくる。
【００１８】
ＰＣＳ値は、スペースが真っ白で反射率１００％に限りなく近い場合に、１に近くなる。１に近ければ近いほど、コントラストがはっきりとしていて読み取りやすいバーコードといえる。ただし、スペースの反射率は、スペースの最小幅が０．５１ｍｍ未満の場合は５０％以上、スペースの最小幅が０．５１ｍｍ以下の場合は２５％以上必要です。ＡＮＳＩでは、このＰＣＳ値が０．７５以上であることを要求されている。２次元コードについてもバーコードと同様と考えられる。
【００１９】
従って、前記反射効果を上げる材料は、発色材及び発泡剤のうち少なくとも一方であることが好ましい。前記キャップの反射効果は、ＰＣＳ値が０．７５以上であることが好ましい。
【００２０】
また、前記２次元コードは、当該液体入りペットボトルに関するセールスプロモーション用のインタネットサイトに接続するための記号と個体識別記号とから成るコードであって、ユニークコードであることが好ましい。
【００２１】
本発明では、２次元コードがセールスプロモーション用のインタネットサイトサーバに接続するための記号と個体識別記号とを含むことから、例えば携帯電話やスマートフォンのカメラ機能によって２次元コードを撮像し、インタネットサイトサーバに接続するための記号に基づきセールスプロモーション用のインタネットサイトサーバに接続し、固体識別記号に基づきセールスプロモーションへ応募することが可能となる。
さらに、前記２次元コードは、レーザマーキング装置によって彫り刻まれることが好ましい。
【００２２】
本発明では、２次元コードをレーザマーキング装置によって彫り刻むようにすることで、キャップの天部の裏面側に２次元コードを表記するための工程を簡単な設備で迅速に行うことができる。また、キャップの天部の裏面側に２次元コードを表記するのであるから、２次元コードを例えばインクジェットプリンタによって印刷したような場合には、当該インクのボトル本体に収容される液体への衛生面の問題が懸念される。これに対して、２次元コードをレーザマーキング装置によって彫り刻む場合には、こうした衛生面の問題は生じない。勿論、食品衛生法に適合したインクを使ってインクジェットプリンタにより印刷すればこうした懸念も払しょくされる。
本発明は、ワン・ピース構造に限定するものではなく、ツー・ピース構造も含むものである。
【００２３】
すなわち、ワン・ピースのキャップを中身入りの製品の全部にマーキングする場合のほかに、一定の比率（２％とか３％とか、景表法（「不当景品類及び不当表示防止法」）の定め以内）で、ツー・ピース型の「当たり」キャップを手動で混ぜることができるようにすることも考えられるからである。
【００２４】
そして、ツー・ピースならライナー（裏地）用の材質や形状を自由に選べる上に、ＰＣＳ値も達成しやすく、数が少なくて足りるので、高速マーキングが必ずしも必要ない。
【発明の効果】
【００２５】
以上のように、本発明によれば、セールスプロモーションへの応募の手間を極力なくし、しかもセールスプロモーションのためのコストを削減することができる。
【図面の簡単な説明】
【００２６】
【図１】本発明の一実施形態に係る液体入りペットボトルの正面図である。
【図２】図１の液体入りペットボトルからキャップを外した状態を示す斜視図である。
【図３】図１に示したキャップの裏面側を示す底面図である。
【図４】図１に示したキャップの構造を示す断面図である。
【図５】本発明の一実施形態に係るセールスプロモーションを実現するためのネットワークの構成を示す図である。
【図６】本発明の一実施形態に係るセールスプロモーションの一例を示すフローチャートである。
【発明を実施するための形態】
【００２７】
以下、図面を参照しながら、本発明の実施形態を説明する。
［液体入りペットボトルの構成］
【００２８】
図１は、本発明の一実施形態に係る液体入りペットボトルの正面図である。図２は、図１の液体入りペットボトルからキャップを外した状態を示す斜視図である。図３は、図１に示したキャップの裏面側を示す底面図である。図４は、図１に示したキャップの構造を示す断面図である。
【００２９】
これらの図に示すように、本発明の一実施形態に係る液体入りペットボトル１０は、ボトル本体２０と、ボトル本体２０に取り付けられるキャップ３０とを具備する。
【００３０】
ボトル本体２０は、液体（図示せず）を収容する。液体は、清涼飲料、乳酸菌飲料、コーヒー飲料などの飲料ばかりでなく、調味料・化粧品・医薬品などであっても勿論構わない。
【００３１】
ボトル本体２０は、典型的にはポリエチレンテレフタレート（ＰＥＴ）からなるいわゆるペットボトルであるが、他の樹脂からなるものでもよく、またアルミや鉄などの金属からなるボトル缶であってもよく、さらにガラスなどからなるものでもよい。
【００３２】
キャップ３０は、ワン・ピース構造（一体成形、１回加工の構造）で、かつ、ポリプロピレン又はポリエチレンに反射効果を上げる材料を混合した材料からなる。ここで、ポリエチレンとしては、より限定的には高密度ポリエチレンであるが、本発明はこれに限定されない。また、反射効果を上げる材料は、発色材又は発泡剤、或いはこれらを混合した材料が考えられるが、本発明はこれに限定されない。本発明は、これらの材料を混合することで、ＰＣＳ値が０．７５以上、より好ましくは０．８以上、さらに好ましくは０．８５以上、さらには０．９０以上であることが好ましい。本発明は、上記ＰＣＳ値となるように上記材料を混合することで本発明を限定することも可能である。
【００３３】
キャップ３０は、ボトル本体２０の口部２１に螺合され、ボトル本体２０内を閉塞する。キャップ３０は、円盤状の天部３１と天部３１の外周に設けられた円筒状の側部３２とを有する。側部３２の下部には、タンパーエビデントバンド（ＴＥバンド）３３が取り付けられている。ＴＥバンド３３は、いたずら防止バンド或いはいたずら防止リングと呼ばれている。ＴＥバンド３３は、液体入りペットボトル１０が未開封状態では、キャップ３０の側部３２の下部に一体的に取り付けられており、この状態からキャップ３０をボトル本体２０から外すと、ＴＥバンド３３とキャップ３０とが分離し、ＴＥバンド３３はボトル本体２０側に残る。ＴＥバンド３３がキャップ３０と一体化しているか、分離してしまっているか、によって、未開封か開封かを判断することができる。
【００３４】
キャップ３０の天部３１の裏面とは、キャップ３０をボトル本体２０の上部の口部２１に取り付けたときの、キャップ３０の実質的な平面部分の裏側の面をいう。このキャップ３０の天部３１の裏面には、２次元コード４０が例えばレーザマーキング装置によって彫り刻まれている。
【００３５】
２次元コード４０としては、例えばＱＲコード（登録商標）（登録商標）を用いることが好ましい形態である。ＱＲコード（登録商標）は、現在の日本のカメラ付き携帯電話のほとんどが対応しているからである。ＱＲコード（登録商標）に対応しないスマートフォンについては、ＱＲコード（登録商標）に対応するソフトを別途インストールすればよい。勿論ＱＲコード（登録商標）とは異なる２次元コードを用いても構わない。
【００３６】
２次元コード４０は、セールスプロモーション用のインタネットサイトサーバに接続するための記号（ＵＲＬ）と個体識別記号（ユニーク番号）とを含むコードであり、したがってユニークコードである。この２次元コード４０を用いて後述するセールスプロモーションを実現することができる。
［２次元コードを使ったセールスプロモーション］
【００３７】
図５は、このセールスプロモーションを実施するためのネットワークの構成を示す図である。同図に示すように、携帯電話やスマートフォンなどの携帯端末５０は、ネットワーク６０を介してセールスプロモーション用のインタネットサイトサーバ６１に接続されるようになっている。
図６はこのセールスプロモーションの一例を示すフローチャートである。
【００３８】
自動販売機やコンビニエンスストアーなどでこの液体入りペットボトル１０を購入した購入者が液体入りペットボトル１０からキャップ３０を外す（ステップ６０１）。
【００３９】
次に、購入者はこのキャップ３０の天部３１の裏面側に表記されている２次元コード４０を購入者が所持する携帯電話やスマートフォンなどの携帯端末５０のカメラにより撮像する（ステップ６０２）。
【００４０】
携帯端末５０のアプリケーションソフトウエアによって２次元コード４０が解読され（ステップ６０３）、携帯端末５０は解読されたＵＲＬ（セールスプロモーション用のインタネットサイトサーバ６１）に接続され（ステップ６０４）、携帯端末５０からインタネットサイトサーバ６１にこの液体入りペットボトル１０の個体識別番号が送信される（ステップ６０５）。
【００４１】
セールスプロモーション用のインタネットサイトサーバ６１では、個別識別番号を受信すると（ステップ６０６）、所定の抽選を行う（ステップ６０７）。その結果が、携帯端末５０に対して送信される（ステップ６０８）。ステップ６０７で当選となった場合には、画面上にその旨及び当選に係る商品などの情報が表示され、画面上で応募者に対して商品などの送付先などの入力を行わせる。ステップ６０７で当選でない場合には、画面上にその旨が表示される（ステップ６０８）。当選者に対しては、画面上ではなく、個人情報保護のため応募者の同意を確認した後に、例えば購入者のメールアドレス宛てにその旨のメールをしたり、加入番号宛にＳＭＳ（Short Message Service)で連絡してもよい。
【００４２】
なお、当選した場合には商品ではなく、ポイントコレクションに係るポイントを当選者に付与するようにしてもよい。その場合には、当選者に対して当選者のページを作成させ、或いは当選者のページにログインさせ、そこにポイントを蓄積させるようにしてもよい。当選者のページは、ログインＩＤとパスワードを入力することでログインできるように構成すればよい。応募者はこのポイントを使って商品などを交換できるようにしてもよく、或いはポイントを使って自動販売機などで新たな商品を購入できるようにしてもよく、また他のポイントサービスと相互利用可能としてもよい。
【００４３】
以上のサービスは、携帯端末５０が２次元コードを解読させるハードとソフトを備えたことを前提としたが、例えば上記のような２次元コードを解読させるハードとソフトを自動販売機に持たせることで、このような機能を持たない携帯端末に対しいても同様のサービスを提供することができる。
【００４４】
このように構成されたシステムによれば、単にポイントを蓄積するようなサービス以上に、携帯端末５０の画面上で当たり・はずれの抽選をその場で提供することができる。
[作用効果]
【００４５】
以上の実施形態にて説明した液体入りペットボトル１０によれば、キャップ３０の天部３１の裏面に表記された２次元コード４０を使ってセールスプロモーションへ応募することができる。つまり、携帯電話やスマートフォンなどの携帯端末５０のカメラ機能によって２次元コード４０を撮像するという実質的にはワン・アクションによってセールスプロモーションへ応募することができるようになる。
【００４６】
従来のポイントコレクション方法は、商品にポイントコレクション用のシールを貼付するものであった。このような方法は、シール自体にコストがかかるばかりでなく、シールの貼付に専用の装置を必要とするため、製品のコストにかなり影響を与えるという問題があった。これに対して、キャップ３０の天部３１の裏面に２次元コード４０を表記する場合には、シールのような付加物は不要となり、しかも汎用のレーザマーキング装置によって表記することができる。よって、製品1本当たりの製品のコストはシールを使った場合と比べると大きく低下し、セールスプロモーションのためのコストを削減することができる。
【００４７】
本実施形態に係る２次元コード４０は、キャップ３０の天部３１の裏面に表記されていることから、実質的には商品を購入した者以外は２次元コード４０にアクセスができない。よって、応募に係る情報が盗まれるようなこともない。つまり、従来のシールの場合には剥がされて番号が盗まれる可能性があるが、キャップ３０の天部３１の裏面に表記された２次元コード４０は情報の堅牢性が非常に高い。しかも、この裏面の２次元コード４０により購買証明(Proof of Purchase)が保証される、という効果も得ることができる。
【００４８】
また、キャップ３０の天部３１の裏面は平坦であることから、２次元コードの表記、つまりレーザマーキング装置よる彫り刻みを、曲面に比べて確実に行うことができる。また、曲面に印刷等した場合と比べて携帯電話やスマートフォンなどの携帯端末５０のカメラ機能による読み取りを確実に行うことができる。
［その他］
本発明は上記の実施形態に限定されるものではなく、様々に変形して実施することが可能であり、その範囲も本発明の技術的範囲に属するものである。
【００４９】
例えば、上記実施形態では、ワン・ピース構造のキャップを例にとり説明したが、キャップはツー・ピース構造であっても勿論構わない。すなわち、キャップは、キャップ本体と、天部の裏面に設けられたポリプロピレン又はポリエチレンに反射効果を上げる材料を混合した材料からなる裏面部とのツー・ピース構造であってもよい。
【００５０】
また、上記の実施形態では、２次元コード４０が当該液体入りペットボトルに関するセールスプロモーション用のインタネットサイトサーバに接続するための記号と個体識別記号とを含むコードであったが、これ以上の情報を含んでいてもよいし、インタネットサイトサーバに接続するための記号だけを含んでいてもよい。或いは、インタネットサイトサーバに接続するための記号でなく、他の記号を含んでいても勿論構わない。
【００５１】
さらに、上記の実施形態では、２次元コード４０は、レーザマーキング装置によって彫り刻まれていたが、インクジェットプリンタによって印刷してもよいし、さらに別の手段を使って表記するようにしても勿論構わない。
【符号の説明】
【００５２】
１０  液体入りペットボトル
２０  ボトル本体
３０  キャップ
３１  天部
４０  ２次元コード
５０  携帯端末
６０  ネットワーク
６１  セールスプロモーション用のインタネットサイトサーバ
【図１】
2013220849.tif 000003
【図２】
2013220849.tif 000004
【図３】
2013220849.tif 000005
【図４】
2013220849.tif 000006
【図５】
2013220849.tif 000007
【図６】
2013220849.tif 000008